【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
モバイル通信デバイス上でネットワークサービスを取得するための方法であって、
前記モバイル通信デバイス上の埋込み型ユニバーサル集積回路カード(eUICC)上に記憶された第1のプロファイルによってサポートされる第1のサブスクリプションに関連する第1のネットワークに前記モバイル通信デバイスをアタッチするステップと、
前記第1のサブスクリプションに対応する前記第1のプロファイルを前記モバイル通信デバイス上のメモリ内にキャッシュするステップと、
前記第1のネットワークからデタッチせずに、前記モバイル通信デバイス上の前記eUICCの前記第1のサブスクリプションを非アクティブ化するステップと、
第2のサブスクリプションに対応する、前記eUICC上に記憶された第2のプロファイルを前記モバイル通信デバイス上のメモリ内にキャッシュするステップと、
前記eUICCの前記第1のサブスクリプションをアクティブ化するステップと、
前記キャッシュされた第2のプロファイルを利用して、前記eUICCの前記第2のサブスクリプションを対象とするページングインジケータを監視するステップと
を含む、方法。
【請求項２】
前記ページングインジケータに基づいて、前記第2のサブスクリプションに関して呼が生じることになるかどうかを判定するステップと、
前記第2のサブスクリプションに関して呼が生じることになるとの判定に応じて、前記呼の持続時間にわたって前記eUICCの前記第2のサブスクリプションをアクティブ化するステップと
をさらに含む、請求項1に記載の方法。
【請求項３】
前記呼が終了した後で、前記eUICCの前記第1のサブスクリプションをアクティブ化するステップ
をさらに含む、請求項2に記載の方法。
【請求項４】
前記eUICCの前記第2のサブスクリプションをアクティブ化するとき、前記第1のサブスクリプションが前記第1のネットワークからデタッチされない、請求項2に記載の方法。
【請求項５】
前記第2のサブスクリプションに関して呼が生じることになるかどうかを前記判定するステップが、ユーザが前記第2のサブスクリプションに関して呼を開始したかどうかにさらに基づく、請求項2に記載の方法。
【請求項６】
前記第2のサブスクリプションに関連する第2のネットワークに前記モバイル通信デバイスをアタッチするステップ
をさらに含む、請求項1に記載の方法。
【請求項７】
ユーザが前記第2のサブスクリプションをアクティブ化したかどうか、または前記第2のサブスクリプションに関するデータを有効化したかどうかを判定するステップと、
前記ユーザが前記第2のサブスクリプションをアクティブ化した、または前記第2のサブスクリプションに関するデータを有効化したとの判定に応じて、前記eUICCの前記第2のサブスクリプションをアクティブ化するステップと
をさらに含む、請求項1に記載の方法。
【請求項８】
前記第1のサブスクリプションが、指定されたデータサブスクリプションである、請求項1に記載の方法。
【請求項９】
前記eUICCの前記第1のサブスクリプションをアクティブ化するとき、前記第2のサブスクリプションが第2のネットワークからデタッチされない、請求項1に記載の方法。
【請求項１０】
前記第1のプロファイルおよび前記第2のプロファイルが、前記モバイル通信デバイス上のローカルメモリ内にキャッシュされる、請求項1に記載の方法。
【請求項１１】
前記キャッシュされた第2のプロファイルを利用して前記第2のサブスクリプションを対象とするページングインジケータを前記監視するステップが、前記キャッシュされた第2のプロファイルを利用して前記ページングインジケータを受信し、復号するステップを含む、請求項1に記載の方法。
【請求項１２】
モバイル通信デバイスであって
メモリと、
無線周波(RF)リソースと、
前記メモリおよび前記RFリソースに結合されたプロセッサと
を備え、
前記プロセッサが、第1のプロファイルおよび第2のプロファイルを記憶した埋込み型ユニバーサル集積回路(eUICC)に接続するように構成され、
前記プロセッサが、
前記eUICC上に記憶された前記第1のプロファイルによってサポートされる第1のサブスクリプションに関連する第1のネットワークに前記モバイル通信デバイスをアタッチし、
前記第1のサブスクリプションに対応する前記第1のプロファイルを前記メモリ内にキャッシュし、
前記第1のネットワークからデタッチせずに、前記モバイル通信デバイス上の前記eUICCの前記第1のサブスクリプションを非アクティブ化し、
第2のサブスクリプションに対応する、前記eUICC上に記憶された第2のプロファイルを前記メモリ内にキャッシュし、
前記eUICCの前記第1のサブスクリプションをアクティブ化し、
前記キャッシュされた第2のプロファイルを利用して、前記eUICCの前記第2のサブスクリプションを対象とするページングインジケータを監視する
ようにさらに構成される、モバイル通信デバイス。
【請求項１３】
i)前記プロセッサが、
前記ページングインジケータに基づいて、前記第2のサブスクリプションに関して呼が生じることになるかどうかを判定し、
前記第2のサブスクリプションに関して呼が生じることになるとの判定に応じて、前記呼の持続時間にわたって前記eUICCの前記第2のサブスクリプションをアクティブ化する
ようにさらに構成され、
ii)前記プロセッサが、
前記第2のサブスクリプションに関連する第2のネットワークに前記モバイル通信デバイスをアタッチする
ようにさらに構成され、
iii)前記プロセッサが、
ユーザが前記第2のサブスクリプションをアクティブ化したかどうか、または前記第2のサブスクリプションに関するデータを有効化したかどうかを判定し、
前記ユーザが前記第2のサブスクリプションをアクティブ化した、または前記第2のサブスクリプションに関するデータを有効化したとの判定に応じて、前記eUICCの前記第2のサブスクリプションをアクティブ化する
ようにさらに構成され、
iv)前記第1のサブスクリプションが、指定されたデータサブスクリプションであり、
v)前記eUICCの前記第1のサブスクリプションをアクティブ化するとき、前記第2のサブスクリプションが第2のネットワークからデタッチされず、
vi)前記第1のプロファイルおよび前記第2のプロファイルが、前記モバイル通信デバイス上のローカルメモリ内にキャッシュされ、または
vii)前記プロセッサが、
前記キャッシュされた第2のプロファイルを利用して前記第2のサブスクリプションを対象とするページングインジケータを受信し、復号することによって、前記キャッシュされた第2のプロファイルを利用して前記ページングインジケータを監視する
ようにさらに構成される、
ことのうちの1つを備える、請求項12に記載のモバイル通信デバイス。
【請求項１４】
a)前記プロセッサが、
前記呼が終了した後で、前記eUICCの前記第1のサブスクリプションをアクティブ化する
ようにさらに構成され、
b)前記eUICCの前記第2のサブスクリプションをアクティブ化するとき、前記第1のサブスクリプションが前記第1のネットワークからデタッチされず、または
c)前記第2のサブスクリプションに関して呼が生じることになるかどうかを前記判定することが、ユーザが前記第2のサブスクリプションに関して呼を開始したかどうかにさらに基づく、
ことのうちの1つを前記i)が備える、請求項13に記載のモバイル通信デバイス。
【請求項１５】
モバイル通信デバイスのプロセッサに動作を実行させるように構成されたプロセッサ実行可能ソフトウェア命令を記憶した非一時的コンピュータ可読記憶媒体であって、前記動作が、
前記モバイル通信デバイス上の埋込み型ユニバーサル集積回路カード(eUICC)上に記憶された第1のプロファイルによってサポートされる第1のサブスクリプションに関連する第1のネットワークに前記モバイル通信デバイスをアタッチすることと、
前記第1のサブスクリプションに対応する前記第1のプロファイルを前記モバイル通信デバイス上のメモリ内にキャッシュすることと、
前記第1のネットワークからデタッチせずに、前記モバイル通信デバイス上の前記eUICCの前記第1のサブスクリプションを非アクティブ化することと、
第2のサブスクリプションに対応する、前記eUICC上に記憶された第2のプロファイルを前記モバイル通信デバイス上のメモリ内にキャッシュすることと、
前記eUICCの前記第1のサブスクリプションをアクティブ化することと、
前記キャッシュされた第2のプロファイルを利用して、前記eUICCの前記第2のサブスクリプションを対象とするページングインジケータを監視することと
を含む、非一時的コンピュータ可読記憶媒体。